(57)【要約】【課題】光ディスク装置におけるトラッキング誤差信号の非線形オフセットを補正する。【解決手段】レンズシフトに伴う差動プッシュプル信号オフセットの非線形性を、ドライブ回路の学習補正により行う。具体的には、学習でオフセットカーブを測定し、補正値を記憶する。そして、サーボ中、補正値を用いてトラッキング誤差信号を補正する。これにより、非線形成分を補正できる。【選択図】図１
2011187094.tif 000002
【特許請求の範囲】
【請求項１】
光ピックアップと信号処理回路とを有する光ディスク装置であって、
前記光ピックアップは、対物レンズを駆動するアクチュエータと、加減算によりトラッキング誤差信号とレンズシフト量信号が生成可能な受光信号出力部とを有し、
前記信号処理回路は、前記受光信号出力部からの信号からトラッキング誤差信号とレンズ誤差信号とを生成するサーボ信号生成回路と、前記レンズ誤差信号を入力とするレンズ誤差信号変動の再現手段と、ディスク回転角検出信号を入力とするトラッキングオフセット補正量信号生成回路とを有し、
前記トラッキングオフセット補正量の学習が、前記レンズ誤差信号変動の再現中に行われることを特徴とする光ディスク装置。
【請求項２】
光ピックアップと信号処理回路とを有する光ディスク装置であって、
前記光ピックアップは、対物レンズを駆動するアクチュエータと、加減算によりトラッキング誤差信号とレンズシフト量信号が生成可能な受光信号出力部とを有し、
前記信号処理回路は、前記受光信号出力部からの信号からメインプッシュプル信号とサブプッシュプル信号とを生成するサーボ信号生成回路と、前記メインプッシュプル信号とサブプッシュプル信号より差動プッシュプル信号とレンズ誤差信号を生成する信号生成回路と、前記レンズ誤差信号とディスク回転角検出信号を入力とするレンズ誤差信号変動の再現手段と、前記ディスク回転角検出信号を入力とするトラッキングオフセット補正量信号生成回路とを有し、
前記差動プッシュプル信号のレンズ位置に対する非線形性が、前記トラッキングオフセット補正量信号と加減算されることにより補正されることを特徴とする光ディスク装置。
【請求項３】
請求項１又は２に記載の光ディスク装置であって、
前記トラッキングオフセット補正量信号生成回路は、複数のディスク回転角に対応した複数のトラッキングオフセット補正値を記憶する記憶手段を有し、
再生動作開始前または記録動作開始前に、学習動作により、前記複数のディスク回転角に対応した複数のトラッキングオフセット補正値が前記記憶手段に記憶されることを特徴とする光ディスク装置。
【請求項４】
請求項３に記載の光ディスク装置であって、
前記学習動作は、フォーカスサーボオン時に、トラッキングサーボオフの状態で行われ、
ディスクを回転するスピンドルの回転に同期して、前記複数のディスク回転角を走査し、検出されるトラッキング誤差信号振幅のエンベロープ検出を行って、
トラッキングオフセット補正値を記憶することにより行われることを特徴とする光ディスク装置。
【請求項５】
請求項３に記載の光ディスク装置であって、
前記学習動作は、フォーカスサーボオン時に、トラッキングサーボオフの状態で行われ、
スピンドル１回転ごとにトラッキング誤差信号振幅のエンベロープ検出を行って、
トラッキングオフセット補正値を記憶することにより行われることを特徴とする光ディスク装置。
【請求項６】
請求項４に記載の光ディスク装置であって、
前記学習動作は、異なるディスク半径位置において、複数回実施されることを特徴とする光ディスク装置。
【請求項７】
請求項３に記載の光ディスク装置であって、
前記トラッキングオフセット補正量信号生成回路は、各トラッキングオフセット補正値が記憶された前記複数のディスク回転角における補正値のスプライン補間を行って、トラッキングオフセット補正量信号を生成することを特徴とする光ディスク装置。
【請求項８】
請求項１又は２に記載の光ディクス装置であって、
前記レンズシフト量信号を、受光信号出力の総和に基づき補正する、レンズシフト量信号補正回路を有することを特徴とする光ディスク装置。
【請求項９】
請求項１に記載の光ディスク装置であって、
前記トラッキング誤差信号と前記レンズシフト量信号が１ビーム方式により生成されることを特徴とする光ディスク装置。
【請求項１０】
請求項２に記載の光ディスク装置であって、
前記トラッキング誤差信号と前記レンズシフト量信号が、
サブスポット受光面が中抜きされた３ビーム方式により生成されることを特徴とする光ディスク装置。
【請求項１１】
請求項３に記載の光ディスク装置であって、
対応する光ディスク媒体として、３層以上の記録面を持つ多層光ディスク媒体に対応する光ディスク装置であり、前記学習動作を各層において走査実行し補正学習することを特徴とする光ディスク装置。
【発明の詳細な説明】
【技術分野】
【０００１】
本発明は、光学的な情報記録再生装置で、光ディスク用装置に関するものであるが、光学的な信号によりトラッキング制御を行う一般的な光学サーボ機能を用いた装置に応用できる。
【背景技術】
【０００２】
背景技術として、特許文献１の技術がある。特許文献１の要約の課題には、「対物レンズの機械的中立位置に対する対物レンズ位置のシフト量とトラッキングエラー信号のオフセット量とが比例関係ではない等の非線形な特性がある場合でも、トラッキングエラー信号のオフセットを高い精度で補正することができる光ディスク装置のトラッキング制御方法および光ディスク装置を提供することを目的とする」と記載され、解決手段には、「本発明の光ディスク装置の制御方法は、トラッキングエラー信号を用いて制御を行うトラッキング制御方法であって、光ピックアップ４は対物レンズを備え、対物レンズの機械的中立位置に対する対物レンズ位置のシフト量が推定され、推定された対物レンズ位置のシフト量に応じて、複数の補正関数のいずれか１つを用いて、トラッキングエラー信号の補正信号が生成されることを特徴とする」と記載されている。
【先行技術文献】
【特許文献】
【０００３】
【特許文献１】特開２００６−２９４１８９号公報
【発明の概要】
【発明が解決しようとする課題】
【０００４】
光ディスク装置の信頼性で重要なものに、トラッキングサーボの安定性がある。トラッキングサーボの安定性を決めるのは、主に、トラッキング誤差信号のゼロ点が、様々な使用条件において正しく記録情報トラック中心と一致しているという、信号の安定性であり、このゼロ点からのズレを、トラッキング誤差信号のオフセットと呼んでいる。
【０００５】
トラッキング誤差信号のオフセットは、限りなくゼロに近い（ズレがない）ことが理想だが、光ヘッドであるピックアップの製造ばらつきや、ディスクの反りやうねりといった媒体のばらつきによって、ズレが生じ、オフセットが発生する。信号のゼロ点がずれることで、正しくトラック中心にサーボできなくなり、ディスクの記録再生中の脱輪が発生する一因となってしまう。
【０００６】
この改善策として、信号処理上で、ズレ量であるオフセットを補正する方法が上記特許文献１などに記載されているが、対物レンズアクチュエータ自身の振動特性の影響を受けるため十分な補正効果が得られず、また補正回路のコストが高くなるという課題があった。
【０００７】
本発明は上記課題を解決するためになされたものであり、本発明の目的は、トラッキング誤差信号のオフセットを、低コストで確実に信号処理で補正する光ディスク装置を提供することである。
【課題を解決するための手段】
【０００８】
上記目的は、一例として、特許請求の範囲に記載の発明により達成できる。
【発明の効果】
【０００９】
本発明によれば、ピックアップ出力信号同士による補正と回路側補正との組合せにより、２重の補正効果を高速に得られるため、回路側補正自体が低精度の低コストなもので済み、かつ周波数特性が良い光ディスク装置を提供することができる。
【図面の簡単な説明】
【００１０】
【図１】本発明に従う光ディスク装置の一例の全体構成図である。
【図２】従来の差動プッシュプル法における信号の処理方法である。
【図３】多層対応した光ディスク装置における信号処理の課題を示す図である。
【図４】１ビーム法における光ディスク装置の信号処理の課題を示す図である。
【図５】補正値記憶生成回路の詳細構成例である。
【図６】補間回路の動作を説明する図である。
【図７】補正値の生成までの信号の流れを説明する図である。
【図８】ディスクの周回変動の学習例を説明する図である。
【図９】異なる半径位置における学習例を説明する図である。
【図１０】多層光ディスクにおける学習例を説明する図である。
【図１１】学習の手順の例を説明する図である。
【発明を実施するための形態】
【００１１】
以下、本発明に従う光ディスク装置について説明する。本発明に従う光ディスク装置は、トラッキング誤差信号のオフセットを、ピックアップ出力信号の特性を生かして、数十バイトというわずかなＬＳＩ側の学習情報により、回路側で簡易かつ確実に補正できることを特徴のひとつとする。本発明に従う光ディスク装置は、補正に対応した信号出力を持つ光ピックアップと、補正処理機能をもつ信号処理回路との組合せにより実現され得る。また、信号処理回路を復号・エラー補正の機能を持つ単一の集積回路チップに組込むことで、低コスト化と高機能・高信頼化を実現できる。
【００１２】
本発明の実施の形態を、図面を用いて、以下実施例で説明する。なお、理解を容易にするため、各図において、同じ作用を示す部分には一部同じ符号を付して説明している。
【実施例１】
【００１３】
本実施例の光ディスク装置は、トラッキング誤差信号のオフセットを補正して、正しくトラッキングサーボできるようにするものである。
【００１４】
まず、図２を用いて、光ディスク装置における課題について説明する。光ディスク装置では、ディスク偏芯があった場合でも正しくトラック追従するために、サーボに用いるトラッキング誤差信号を、偏芯で生じるレンズ中心ずれ（レンズシフト：ＬＳ）に対して補正する信号補正を行っている。例えば、３スポット法の場合、図２（ａ）の様に、メインスポット受光面５０の両隣に２つのサブスポット受光面５１を配置し、メインスポット受光面で検出するプッシュプル信号（メインプッシュプル信号：ＭＰＰ）のオフセットを、サブスポット受光面で検出するプッシュプル信号（サブプッシュプル信号：ＳＰＰ）との差分を取ることで打消して補正する、いわゆる差動プッシュプル法（ディファレンシャル・プッシュプル法：ＤＰＰ法）が用いられる。この補正されたプッシュプル信号を、差動プッシュプル信号（ディファレンシャル・プッシュプル信号：ＤＰＰ）と呼ぶ。通常、正しく調整された差動プッシュプル信号では、図２（ｂ）の様に、レンズシフトに伴うＤＰＰ信号の上下変動（オフセット）が消えている。ところが、近年、２層または３層以上の記録層を持つ多層光ディスクにおいては、迷光対策の為に、図３（ａ）の様に、サブスポットの中央部が中抜きされた受光面を用いる必要が生じた。この場合、メインスポットとサブスポットの受光面形状が異なるために、レンズシフトしてスポットが変動した場合、図３（ｂ）の様に、ＭＰＰ信号とＳＰＰ信号でアンバランスが生じる。特にＳＰＰ信号側で、レンズシフトに伴い、非直線的な上下変動（オフセット）が生じるようになる。このため、従来のＤＰＰ法で得られる信号に、レンズシフトに対する非直線的なオフセットが生じ、トラッキングサーボが脱輪しやすくなる場合が生じるようになった。
【００１５】
同様の課題は、１ビーム法と呼ばれるトラッキング誤差信号の生成法でも生じる。図４（ａ）と図４（ｂ）は、１ビーム法に用いる回折格子パターンの一例であり、図４（ａ）中の斜線部分がＭＰＰ信号、図４（ｂ）中の斜線部分がＳＰＰ信号に相当するレンズ変位に対応した信号（レンズ誤差信号：ＬＥ信号）の生成に対応したパターンであるが、（ａ）と（ｂ）でパターン形状が異なるために、大きなレンズシフトに対して図４（ｃ）に示すようなＤＰＰ信号の非直線的なオフセットが発生する。なお、今後、この非直線的なオフセットのことを、非線形オフセットと呼ぶ。それに対して、オフセットの直線的な変化を、線形オフセットと呼ぶ。
【００１６】
一般的に、線形オフセットは、ＤＰＰ法で正しく調整されれば、ほぼゼロに打消しできるが、非線形オフセットは完全に補正できず、非線形成分が残ってしまう。本実施例の光ディスク装置は、この非線形オフセット成分を補正することができる。
【００１７】
また、光ピックアップの非線形オフセットがない場合であっても、図８のように、ディスク媒体に反りや部分変形がある場合、反射光のバランスが崩れて、一見前記非線形オフセットに似た、ディスク回転周期に同期した周期的オフセット変動が残ってしまう。本実施例の光ディスク装置は、この周期的オフセット変動成分を補正することができる。
【００１８】
（本発明に従う光ディスク装置の具体構成例）
次に、本発明に従う情報再生装置の、全体構成の実施の形態の一例を、図１を用いて説明する。
【００１９】
装置の全体的な構成は、光ピックアップ部１、媒体である光ディスク２とスピンドルモータ３を含む機構部、それ以外の信号処理回路部より成る。
【００２０】
記録媒体である光ディスク２は、回転サーボ回路４によって回転速度が制御されたスピンドルモータ３上に取付けられている。この媒体に対して、レーザ駆動回路５により駆動された半導体レーザ６からの光を照射する。
【００２１】
半導体レーザ６の光は、３スポット法用の回折格子７を通過し、３ビームに分割される。なお、１ビーム法の場合には、この回折格子はなく、代わりに、復路側に回折格子８を設ける。本実施例では、３ビーム法を例に説明をするが、本発明の適用範囲はこれに限定されるものではない。
【００２２】
再び３ビーム法の場合に戻り説明を行なう。回折格子７を通過した光は、ビームスプリッタ９を通過し、そのままコリメートレンズ１０へ向かう。コリメートレンズ１０は、レンズ駆動機構の可動部上に保持されており、この可動部はステッピングモータ１１により光軸と平行な方向に移動可能なように構成されている。コリメートレンズ１０を通過した光は、λ／４板１２を通過し、対物レンズ１３により集光されて、記録媒体である光ディスク２へ照射される。対物レンズ１３はアクチュエータ１４上に取付けられており、焦点位置を、サーボ信号生成回路２５の信号によってフォーカス方向とトラック方向に、それぞれ駆動できるようになっている。照射されたうち一部の光がディスク２によって反射され、再び対物レンズ１３を通過し、λ／４板１２を通過して、コリメートレンズ１０を通過し、偏光ビームスプリッタ９へ入射する。この際、光束はλ／４板１２を２回通過したことにより偏光が９０度回転しているため、偏光ビームスプリッタ９で反射され、（１ビーム法の場合はここで回折格子８を通過し）検出レンズ１５へ向かう。検出レンズ１５を通過した光は、半反射鏡１６を通過し、受光素子１７上の検出面で検出され、電気信号に変換される。なお、再生信号の信号／ノイズ比（Ｓ／Ｎ比）を改善するため、検出レンズ１５と受光素子１７の間に半反射鏡１６を挿入して、高Ｓ／Ｎの再生信号検出器１８を併設している。
【００２３】
受光素子１７上で変換された電気信号は、受光素子内の光電流アンプで増幅され、受光信号１９が出力される。サーボ信号生成回路２５は、この受光信号１９より、フォーカス誤差信号２０と、トラッキング誤差信号２１と、レンズ誤差信号２２と、再生信号２３（ＲＦ信号）を生成する。なお本例では、３ビーム法として、四分割光検出器を用いて、フォーカス誤差を非点収差法により検出する方法で検出している。なお、１ビーム法の場合は、ナイフエッジ法によりフォーカス誤差信号を検出する。
【００２４】
サーボ信号生成回路２５の出力するトラッキング誤差信号２１（ＤＰＰ）と、レンズ誤差信号２２（ＬＥ）と、再生信号２３（ＲＦ信号）より、トラッキングオフセット補正量信号生成回路２４が、トラッキングオフセット補正量信号２９（ΔＤＰＰ補正値）を出力する。スイッチ４０は、３ビーム法と１ビーム法の切替を行う。本図では３ビーム法側の切替となっている。トラッキングオフセット補正量信号生成回路２４では、まずレンズ誤差信号２２と、再生信号２３（ＲＦ信号）より、除算器２６を用いて総光量補正されたレンズ誤差信号３１（補正後ＬＥ）を生成する。これは、再生総光量の変動によるレンズシフト量の誤検出を防ぐことで、本発明による補正を高精度化するのに役立つ。この総光量補正されたレンズ誤差信号３１は、レンズ誤差信号変動記憶再生回路４５に入力され、レンズ誤差信号の変動（ΔＬＥ）を記憶することで学習し、また再生された記憶値と比較することで、記憶されたレンズ誤差信号の変動を再現するように、ディスク回転に合わせてレンズシフト位置を制御できるようになっている。この際、微小ウォブル信号発振器４６によって、前記レンズシフト位置からわずかに振動させることができるよう構成されている。これにより、各々のレンズシフト位置におけるトラッキング誤差信号２１の振幅を確実に検出できる。また、振幅中央値生成回路２７は、前記学習中またはトラッキングサーボオフ時にトラッキング誤差信号２１より得られるプッシュプル信号を元に、最大値ピーク検出による上側エンベロープ信号、最小値ピーク検出による下側エンベロープ信号を生成し、その平均値をとることによってＤＰＰオフセット補正量信号３２（ΔＤＰＰ学習値）を生成する。補正値記憶生成回路２８では、回転サーボ回路４より出力されるスピンドル回転クロック４４に応じて、前記振幅中央値生成回路２７より出力されるＤＰＰオフセット補正量信号（ΔＤＰＰ）を、記憶・読出し・補間し、トラッキングオフセット補正量信号２９を出力する。このトラッキングオフセット補正量信号２９を前記トラッキング誤差信号２１に加減算して補正することで、前記アクチュエータ１４を駆動する直流オフセット補正後のトラッキング誤差信号３０が生成される。
【００２５】
なお、ディスク２より再生された前記再生信号２３は、スイッチ３３を用いて、前記再生信号検出器１８出力とどちらかが選択された後、等化回路３４、レベル検出回路３５、同期クロック生成回路３６を経て、複号回路３７にて、記録された元のデジタル信号に変換される。また、同期クロック生成回路３６は同時に、合成された再生信号を直接検知して同期信号を生成し、復号回路３７へ供給する。これらの一連の回路は、主制御回路３８によって統括的に制御される。なお、本構成では不揮発メモリ３９を備えており、これら補正に必要な光ピックアップの初期パラメータを電源切断された間も保持し、前回の学習内容を利用することで初期化動作を高速化できるようになっている。
【００２６】
次に、補正値記憶生成回路２８の構成について、図５〜６を用いて詳しく説明する。
【００２７】
図５は、補正値記憶生成回路２８の詳細構成である。補正値記憶生成回路２８では、ディスク回転角度（ここではスピンドル回転クロック４４）に応じて、補正すべきＤＰＰオフセット量の記憶と補間処理を行う。複数の補正値記憶回路４１は、各々、ディスク回転角度の範囲に対応して、どれか１つが、入力されたＤＰＰオフセット補正量信号３２（ΔＤＰＰ学習値）を、フォーカスサーボオン、トラッキングサーボオフ時の学習中に記憶するように働く。記憶した補正値４２は、補間回路４３に対して出力される。補間回路４３では、近隣の４点の記憶した補正値４２と前記ディスク回転角度を用いて、対応する補間範囲が一致した補間回路４３が、補間されたトラッキングオフセット補正量信号２９を出力する。これにより、記憶された補正値の各点を滑らかにつないだ補間波形出力が、補正値記憶生成回路２８の出力として生成される。
【００２８】
図６は、補間回路４３の内部動作を示している。補間処理は、スプライン補間によって行われ、その計算値は、前記ディスク回転角度をｘ、記憶した補正値４２をＳとして、図６に示されるような滑らかな３次関数により近似されて出力される。学習時に、
【数１】
2011187094.tif 000003
で示される数式によりａ、ｂ、ｃ、ｄを各区間ごとに求め、
【００２９】
【数２】
2011187094.tif 000004
で示される数式により、トラッキングサーボオン中に計算されて出力される。
【００３０】
学習が行われるタイミングは、プッシュプル信号振幅が得られる時に限られることから、フォーカスサーボオン中で、かつトラッキングサーボがオフの間に限られる。各ディスク回転角度（ここではスピンドル回転クロック４４）に対応した値を各々記憶する。または光ディスク装置の出荷時において本学習を予め行うことも可能である。学習は半径方向に対しても行うことで、より媒体のバラツキに対応した精度の高い補正となる。
【００３１】
図１１に、その補正学習の手順の例を示す。半導体レーザを点灯し、レンズ上下動（レンズスウィング）によるフォーカス誤差信号の走査を行い、ディスクの種類を判別する。次にディスク回転を開始し、コリメートレンズ位置を移動して球面収差の粗調整を行う。次にフォーカスサーボをＯＮする。この時点でＤＰＰ信号が検出できるので、レンズシフトを行って２ヶ所の可変ゲインアンプの利得を調節し、いわゆる差動プッシュプル法におけるｋ値調整を行う。これにより、ＤＰＰ信号の線形オフセットは補正される。次にディスク回転と同期したインデックス信号６２とスピンドル回転クロック６３に合わせて、位相ロック回路（ＰＬＬ）をオンする。まず、未学習の状態でトラッキングサーボをＯＮし、レンズ誤差信号（ＬＥ）の一周変動を学習する。次に、トラッキングサーボをオフし、直前に学習したレンズ誤差信号の周回変動を再現するようにレンズシフト量をサーボする。ここでは、このレンズシフト量のサーボを、ＬＥ変動再現サーボと呼ぶ。この状態で測定されるＤＰＰ信号のオフセット量の変動が、補正すべき残った非線形オフセットとなる。このＤＰＰ信号のオフセット量の変動を、補正値記憶生成回路に記憶することで学習する。この際、ディスク半径位置を、数点変化させて、各々に対応するΔＤＰＰ学習値を学習する。典型的には、各ディスク半径位置において、ディスク１回転の間のＤＰＰ振幅エンベロープ中央値を検出し、記憶する。記憶した複数の前記ＤＰＰ振幅エンベロープ中央値学習より、スプライン補間係数を計算する。なお、ＬＥ変動再現サーボは、学習完了次第オフしてよい。学習完了後、トラッキングオフセット補正量信号（ΔＤＰＰ補正値）の出力を開始し、トラッキングサーボをＯＮし、再生動作または記録動作に入る。  
【００３２】
以上、本構成とその補正原理をまとめると図７のようになる。通常のＤＰＰ法では、ＭＰＰ信号とＳＰＰ信号よりＤＰＰ信号とＬＥ信号が生成されるが、本構成ではさらに、ディスク回転に同期してＤＰＰ信号に残存する非線形オフセット量を、トラッキングサーボオフ中に学習して記憶し、以後、トラッキングサーボオンされて記録動作または再生動作の続く間は、学習したＤＰＰ信号の非線形オフセットの補正値（ΔＤＰＰ）を、スプライン補間しながら生成し、ＤＰＰ信号の上下変動を補正する。この際、まずレンズシフト量信号に対応するレンズ誤差信号を生成し、レンズ誤差信号を入力とするレンズ誤差信号変動の記憶再現手段を用いて、トラッキングサーボオフ中に、レンズ誤差信号変動を再現するようレンズシフト量をサーボする。前記レンズシフト量のサーボ中に、各ディスク回転角に対応したトラッキングオフセットの変動を学習し、これをトラッキングオフセット補正量として記憶する。記録再生動作中は、ディスク回転角検出信号を入力とし、ディスク回転角に対応した前記トラッキングオフセット補正量信号を生成し、ＤＰＰ信号を補正する。補正の結果として、直流オフセット補正後のトラッキング誤差信号（ＤＰＰ２）が生成される。なお、ここではレンズシフト量（ＬＳ）の正確な値は、本回路中では未知であり、レンズシフト量に代えて、歪を含むレンズ誤差信号（ＬＥ）を補正値生成に用いている。また、通常のトラッキング誤差信号として差動プッシュプル信号（ＤＰＰ信号）を考えているが、１ビーム法においてＭＰＰ信号からレンズシフトに対応するレンズシフト量信号を差引いたものを、便宜上ＤＰＰ信号と呼ぶ場合もあり、ここでは、３ビーム法の場合と１ビーム法の場合を兼ねて、トラッキング誤差信号として使える信号のことを、ＤＰＰ信号と呼んでいる。
【００３３】
即ち、本構成では、ディスク媒体の反りや変形によるトラッキング誤差信号の周期的オフセット変動といったピックアップ以外の要因に対応した補正が可能であり、特に補正が低コストかつ高精度にできる。
【００３４】
また、誤差信号そのものをゼロにフィードバック制御してしまった場合に従来例ではトラッキングサーボオン中の推定ができなくなるのに対し、本構成では、トラッキングサーボオン中もシフト量に対応するＬＥ信号を検出しているので、通常のｋ値補正値が可能である。
【００３５】
また、ディスク回転角に伴うオフセット変動をまず学習し、学習結果に基づいてディスク回転に同期したトラッキング誤差信号変動を補正するので、信号に対する加減算のみで生成可能であり、アッテネータは不要で低コストである。
【００３６】
また、ＬＥ信号値が実際のレンズシフト量（ＬＳ）に対して歪んでいる場合でも、ＬＥ変動再現サーボによる補正学習時に同じＬＥ信号を参照することによって、ＬＥ信号の歪によらず正しくＤＰＰオフセット補正量信号（ΔＤＰＰ）を生成することができ、正確な補正が実現できる。
【００３７】
また、対物レンズの機械的中立位置精度は不要であるため、周囲の振動の影響により学習結果が乱されることがなく、車載等、振動下においても正確な学習と補正が可能である。また、トラッキング誤差信号の非線形オフセット成分だけを補正するので、トラッキング誤差信号の補正精度が向上する。補正用の値の格納ビット数およびＡ／Ｄ変換のビット数が少なくて済み、補正用の線形補間の演算精度も低く済み、補正用値の演算時間（サンプリングレート）や補正出力応答周波数も低いもので済みコストが低く済む。また補正値の学習精度が低く済むので、学習に必要となる時間が短く済み、準備動作が高速となる。
【００３８】
また、本構成によるＤＰＰ信号の非線形オフセット補正方法では、ＤＰＰオフセット補正量信号（ΔＤＰＰ）による補正機能は、通常の線形オフセット補正の追加補正機能として使うことができる。すなわち、通常の線形オフセット補正により生成されたＤＰＰ信号に、非線形オフセット成分が多く含まれることが振幅中央値生成回路２７で検知された場合にのみ、ΔＤＰＰ信号生成のための学習動作を行う。これにより、ＤＰＰ信号中の非線形オフセットが問題とならない通常時には、非線形性補正の学習動作をスキップして、より高速に光ディスク装置を起動できる。学習動作をスキップした場合には、ＤＰＰオフセット補正量信号をゼロとすればよい（ΔＤＰＰ＝０）。
【００３９】
また、本構成では、学習によって、個々のピックアップのバラツキにも対応した補正が低コストで可能である。
【００４０】
なお、図８の様に、ディスク回転に同期して学習することで、回転方向に応じたムラのあるディスクでも再現性良く周内変動を把握して安定な補正値学習ができる。具体的には、ＤＰＰ信号は、正しくｋ値調整できていても、ディスクの反りなどの影響によって、時間７０に対し一回転周期７１で上下に変動する場合がある。そのため、ピックアップのレンズシフト特性以外の要因によらない、これらの変動を、ディスク回転同期で学習することで、補正値の学習を安定化できる。
【００４１】
または、スピンドル１回転ごとに１点ずつ学習することにより、最速かつディスク１周全体の変動を把握して安定な補正値学習ができる。この場合も一回転の間の時間平均を取ることによって、補正値の学習を安定化できる。
【００４２】
また、本構成では、図９の様に、ディスクの半径方向位置に応じたディスクのバラツキ（反り・うねり・膜厚変化）に対応した補正値学習をすることで、ディスクの個別バラツキに対応した安定な制御の可能な補正値学習ができる。この場合、補正値の学習シーケンスを、各ディスク半径位置で繰返す。これらは、トラッキング信号が安定しないディスクであることが検出された場合のみ行うようにし、通常のディスクでは学習をスキップすることで、初期化動作を高速化している。
【００４３】
また、本構成では、スプライン補間を用いて学習するため、学習するレンズシフト位置の数を最低限として、高精度な最適補正値の予測ができるため、学習に必要となる時間を最小に抑えて、光ディスクの準備動作を高速化できる。補正値を予めフィッティング処理することにより、ノイズによる異常な補正値を平均化により防ぐことができ、制御が高精度化できる。また、学習結果を記憶できる不揮発メモリ３９を備えており、トラッキングサーボオン後の処理を前もって済ませておける為、サーボ処理を高速化できる。
【００４４】
また、本構成では、レンズ誤差信号に対して、再生総光量による補正を行っているため、レンズシフト量信号自体の補正回路との組合せにより、ディスク上の記録未記録域の違い／記録再生など動作条件の違いによらず、正確なレンズシフト位置に応じた信号を補正により得られるので、再現性の高い正確なトラッキングオフセット補正量信号を得られ、補正が高精度化できる。
【００４５】
また、本構成は、１ビーム方式にも用いることができ、１ビーム方式は、レンズシフトと共に原理的に視野（ビーム有効径内光束の往路・復路間のズレ）が変化するため、通常３ビーム方式等他の方式に比べ、レンズシフトに伴うレンズシフト量信号変化の非線形性が大きく、非線形成分補正の改善の効果が大きい。
【００４６】
また、本構成は、サブスポット中抜きを行った３ビーム方式にも用いることができ、通常３ビーム方式は、レンズシフトに対するレンズシフト量信号変化の線形性は比較的良いため非線形性が小さいが、２層干渉光対策のためにサブスポット受光面一部が中抜きされた、変形型３ビーム方式の場合、サブスポットとメインスポットの受光面形状が違うことにより通常３ビーム方式等他の方式に比べ、レンズシフトに伴うレンズシフト量信号変化の非線形性が大きく、非線形成分補正の改善の効果が大きい。
【００４７】
また、本構成は、図１０の様な多層光ディスクでも大きい効果を得ることができる。特に３層以上の多層光ディスクでは、各層間の反射光により、受光素子上に多くの迷光が入射する。迷光の影響により、各層で得られるレンズシフト時のトラッキングオフセットの非線形性・歪が、各層ごとに異なる症状が発生する。各層で各々補正することで、多層光ディスク媒体使用時でも、本補正の効果を生かして良好なトラッキングサーボ安定性が得られる。この場合、例えば、各層ごとに、各ディスク半径位置において、ΔＤＰＰ値の学習を行うことで、多層特有の迷光によるトラッキング誤差信号の非線形オフセットを補正することができる。
【００４８】
本発明は、例えば、干渉を利用してトラッキング検出する他の光記録装置にも応用可能である。
【００４９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５０】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５１】
１    光ピックアップ部
２    光ディスク
３    スピンドルモータ
４    回転サーボ回路
５    レーザ駆動回路
６    半導体レーザ
７    回折格子
８    回折格子
９    ビームスプリッタ
１０  コリメートレンズ
１１  ステッピングモータ
１２  λ／４板
１３  対物レンズ
１４  アクチュエータ
１５  検出レンズ
１６  半反射鏡
１７  受光素子
１８  再生信号検出器
１９  受光信号
２０  フォーカス誤差信号
２１  トラッキング誤差信号
２２  レンズ誤差信号
２３  再生信号
２４  トラッキングオフセット補正量信号生成回路
２５  サーボ信号生成回路
２６  除算器
２７  振幅中央値生成回路
２８  補正値記憶生成回路
２９  トラッキングオフセット補正量信号
３０  直流オフセット補正後のトラッキング誤差信号
３１  総光量補正されたレンズ誤差信号
３２  ＤＰＰオフセット補正量信号
３３  スイッチ
３４  等化回路
３５  レベル検出回路
３６  同期クロック生成回路
３７  複号回路
３８  主制御回路
３９  不揮発メモリ
４０  スイッチ
４１  補正値記憶回路
４２  補正値
４３  補間回路
４４  スピンドル回転クロック
４５  レンズ誤差信号変動記憶再生回路
４６  微小ウォブル信号発振器
５０  メインスポット受光面
５１  サブスポット受光面
６０  時間
６１  一回転周期
６２  インデックス信号
６３  スピンドル回転クロック
【図１】
2011187094.tif 000005
【図２】
2011187094.tif 000006
【図３】
2011187094.tif 000007
【図４】
2011187094.tif 000008
【図５】
2011187094.tif 000009
【図６】
2011187094.tif 000010
【図７】
2011187094.tif 000011
【図８】
2011187094.tif 000012
【図９】
2011187094.tif 000013
【図１０】
2011187094.tif 000014
【図１１】
2011187094.tif 000015